(57)【要約】【課題】鉤部を針金等で不正に動かして解錠する不正解錠を防止することができるゲーム機の施錠装置を提供する。【解決手段】取付板２と支持板３を設けた基枠体１に施錠杆６が摺動可能に配設され、施錠杆６には上部と下部に鉤部６１，６２が突出して形成される。取付板２の中間部にシリンダ錠７がその錠軸を取付板２の内側に差込むように固定され、錠軸の先端に施錠杆６と係合するカム板８が固定される。基枠体１の取付板２がゲーム機の前面枠に縦に取付けられ、本体枠側に取付けられた受け金具１０に鉤部６１，６２が係止されて前面枠を施錠する。基枠体１の支持板３における施錠杆６の鉤部６１，６２に対応した位置に、保護板３１，３２が鉤部６１，６２の係止凸部６３，６４を側面から覆うように延設される。【選択図】図３
2005199005.tif 000002
【特許請求の範囲】
【請求項１】
取付板と支持板を設けた基枠体に施錠杆が摺動可能に配設され、該施錠杆には上部と下部に鉤部が突出して形成され、該取付板の中間部にシリンダ錠がその錠軸を該取付板の内側に差込むように固定され、該錠軸の先端に施錠杆と係合するカム板が固定され、該基枠体の取付板がゲーム機の前面枠に縦に取付けられ、本体枠側に取付けられた受け金具に該鉤部が係止されて該前面枠を施錠するゲーム機の施錠装置において、
該基枠体の支持板における該施錠杆の鉤部に対応した位置に、保護板が該鉤部の係止凸部を側面から覆う形態で延設されていること特徴とするゲーム機の施錠装置。
【請求項２】
前記施錠杆は、前記基枠体の支持板の外側に摺動可能に配設され、前記保護板は、該施錠杆の鉤部と反対側に曲げられ該支持板の内側に偏倚して延設されている請求項１記載のゲーム機の施錠装置。
【請求項３】
前記施錠杆は、前記基枠体の支持板の外側に摺動可能に配設し、前記施錠杆の鉤部の係止凸部が前記保護板と反対側に曲げて形成されている請求項１記載のゲーム機の施錠装置。
【請求項４】
前記受け金具には、前記鉤部が係止される係止部が設けられ、該係止部に隣接して施錠時に前記保護板が進入するための凹部が設けられた請求項１記載のゲーム機の施錠装置。
【請求項５】
前記受け金具には、施錠動作時に前記保護板に接触して前記施錠杆の鉤部を受け金具の係止部側にガイドするためのガイド部が設けられた請求項４記載のゲーム機の施錠装置。
【発明の詳細な説明】
【技術分野】
【０００１】
本発明は、パチンコ機、スロットマシン等のゲーム機の前面枠（前扉）の内側に取り付けられ、前面枠を本体枠（筐体）に対し施錠するゲーム機の施錠装置に関する。
【背景技術】
【０００２】
ゲーム機の前面枠を本体枠に対し施錠する施錠装置として、断面Ｌ字状の取付板と支持板からなる基枠体の内側に、施錠杆が摺動可能に配設され、施錠杆の上部と下部に鉤部が一体に突出して形成され、取付板の中間部にシリンダ錠がその錠軸を取付板の内側に差込むように固定され、錠軸の先端に施錠杆と係合するカム板が固定された構造の施錠装置が、下記特許文献１などで知られている。この種の施錠装置は、シリンダ錠の錠軸をキーで回すことにより、カム板を回動させ、カム板に係合する施錠杆を上または下に摺動させ、これにより、施錠杆の上下に突設した鉤部を解錠方向に移動させ、鉤部の受け金具との係合をはずして解錠する構造である。
【特許文献１】特許第３２５０００８号公報
【発明の開示】
【発明が解決しようとする課題】
【０００３】
しかしながら、施錠状態つまり鉤部が受け金具と係合した状態であっても、鉤部や施錠杆に直接力を加えて動かせば、鉤部と受け金具との係合を解除することができるため、ゲーム機の一部に隙間があって、その隙間から針金等を内部に差し込み、針金等で鉤部や施錠杆に直接力を加えて移動させると、前面枠がキーを用いずに不正に解錠されてしまう問題があった。特に、施錠杆の上下の鉤部は、施錠装置がゲーム機の前面枠に装着された状態で、前面枠から本体枠側に突出されているため、不正に差し込まれた針金などが引っかかりやすく、鉤部に針金を引っ掛けられた場合、施錠杆が解錠側に摺動され、不正解錠が行われやすいという問題があった。
【０００４】
本発明は、上記の課題を解決するためになされたもので、鉤部を針金等で不正に動かして解錠する不正解錠を防止することができるゲーム機の施錠装置を提供することを目的とする。
【課題を解決するための手段】
【０００５】
上記の目的を達成するために、本発明の施錠装置は、取付板と支持板を設けた基枠体に施錠杆が摺動可能に配設され、施錠杆には上部と下部に鉤部が突出して形成され、取付板の中間部にシリンダ錠がその錠軸を取付板の内側に差込むように固定され、錠軸の先端に施錠杆と係合するカム板が固定され、基枠体の取付板がゲーム機の前面枠に縦に取付けられ、本体枠側に取付けられた受け金具に鉤部が係止されて前面枠を施錠するゲーム機の施錠装置において、基枠体の支持板における施錠杆の鉤部に対応した位置に、保護板が鉤部の係止凸部を側面から覆う形態で延設されていること特徴とする。
【０００６】
ここで、請求項２のように、上記施錠杆は基枠体の支持板の外側に摺動可能に配設し、保護板は施錠杆の鉤部と反対側に曲げられ支持板の内側に偏倚して延設することができる。
【０００７】
また、請求項３のように、上記施錠杆は基枠体の支持板の外側に摺動可能に配設し、施錠杆の鉤部の係止凸部を保護板と反対側に曲げて形成することができる。
【０００８】
また、請求項４のように、上記受け金具には、鉤部が係止される係止部を設け、その係止部に隣接して施錠時に上記保護板が進入するための凹部を設けるとよい。
【０００９】
また、請求項５のように、上記受け金具には、施錠動作時に上記保護板に接触して上記施錠杆の鉤部を受け金具の係止部側にガイドするためのガイド部を設けることができる。
【発明の効果】
【００１０】
このような構成の施錠装置では、ゲーム機の前面枠（前扉）を本体枠（筐体）に対し閉じると、施錠杆の上部と下部の鉤部が本体枠側の受け金具に当たって施錠杆が摺動し、鉤部の係止凸部が受け金具の係止部を乗り越えたとき、施錠杆がばねの付勢力で元の位置に戻り、施錠される。この施錠状態において、施錠杆の鉤部の係止凸部は、その側面を保護板により覆われているため、本体枠と前面枠の隙間等から針金等を差し込み、その先端を鉤部に引っ掛けようとしても、鉤部と共に保護板にも針金が引っ掛かることになる。このため、針金などで施錠杆を移動させようとしても、施錠杆を動かすことはできず、不正解錠を防止することができる。
【００１１】
また、請求項２，３のように、施錠杆を基枠体の支持板の外側に摺動可能に配設し、保護板は施錠杆の鉤部と反対側に曲げて支持板の内側に偏倚して延設し、或いは、施錠杆の鉤部の係止凸部を保護板と反対側に曲げて偏倚させるようにすれば、鉤部と保護板の間隔を有効に離すことができ、受け金具が保護板に干渉する不具合を解消することができる。
【００１２】
また、請求項５のように、受け金具に、施錠動作時に上記保護板に接触して前記施錠杆の鉤部を受け金具の係止部側にガイドするためのガイド部を設けることにより、施錠動作時には、鉤部を受け金具の係止部に確実に係止させることができる。
【発明を実施するための最良の形態】
【００１３】
以下、本発明の実施例を図面に基づいて説明する。図１はパチンコ機用の施錠装置の正面図を、図２はその左側面図を、図３はその右側面図を、図４はその背面図を各々示している。１は施錠装置のフレームを構成する基枠体であり、取付板２と支持板３を断面コ字状に一部を略Ｌ字状に曲折し、縦長の枠体として一体成形されている。
【００１４】
図６に示すように、基枠体１の取付板２の上部の一部が切り起こされて、正面側に曲折され、そこに後述のガラス枠施錠杆５をガイドするガイド部２１が形成され、同様に取付板２の中間部下寄りにガラス枠施錠杆用のガイド部２２が形成されている。さらに、基枠体１の取付板２の下部に、シリンダ錠挿入用の開口部２５が形成され、その開口部２５の上部と下部に、後述のシリンダ錠７のフランジ７１を取付固定するための取付部２６が形成されている。また、基枠体１の支持板３の外側に切起しガイド部３３，３４が、後述の施錠杆６を摺動可能に保持するために、突き出すように形成されている。
【００１５】
さらに、基枠体１の支持板３における上部と下部、つまり施錠杆６の鉤部６１，６２に対応した位置に、保護板３１，３２が支持板３から背面側に突き出すように、延設されている。この保護板３１，３２は、施錠杆６の鉤部６１，６２の側面を略完全に覆うことができる形状に形成されている。さらに、保護板３１，３２は、施錠杆６の鉤部６１，６２との間隔を離すように、その元部を支持板３から内側にクランク状に曲折され、内側に偏倚して配設されている。
【００１６】
シリンダ錠７は、図１、図５に示すように、異形断面を有し内側中央に錠軸を回動可能に設けた錠であり、その元部に取付用のフランジ７１を有している。シリンダ錠７は基枠体１の内側から取付板２に設けた開口部２５から前方に向けて挿入し、つまりシリンダ錠７の錠軸を基枠体１の内側に挿入し錠本体の鍵穴を前方に突き出す形態で、そのフランジ７１を取付板２の取付部２６に固定ねじなどで固定して取り付けられる。
【００１７】
前面枠を施錠するための施錠杆６が、支持板３の外側で支持板に沿って摺動可能に配設される。施錠杆６にはその上部と下部に鉤部６１，６２が背面側に突出して一体に形成されている。三角形頭部（傾斜部）を有する鉤部６１、６２は、中間部に設けた係合凹部の先端側に係止凸部６３，６４を有し、下方に摺動しながら後述の受け金具１０に係合凹部を係止可能である。施錠杆６の鉤部６１，６２の係止凸部６３，６４は、保護板３１，３２はとの間隔を離すために、図１０のように、反保護板３１，３２側つまり基枠体１の外側に少し曲げて配設されている。
【００１８】
さらに、基枠体１の内側には、図４，５に示すように、取付板２と支持板３の角部に沿って長尺のガラス枠施錠杆５が上下に摺動可能に配設され、ガラス枠施錠杆５の上部と下部には、ガラス枠鉤部５１、５２が正面側に突出して設けられる。ガラス枠鉤部５１、５２は、図４、図６に示すように、基枠体１の取付板２の上部と中間部に縦に形成した凹部の側部に設けた前記ガイド部２１，２２に沿って配置され、前面側に突出する。
【００１９】
また、図５に示すように、ガラス枠施錠杆５のガラス枠鉤部５１，５２の元部には、ガイド孔５３，５４が形成され、それらのガイド孔５３，５４を挿通してガイドピン４３，４４がガイド部２１，２２に固定され、ガラス枠施錠杆５はガイドピン４３，４４、ガイド孔５３，５４により上下方向の摺動をガイドされる。
【００２０】
上記のように、ガラス枠施錠杆５は、そのガラス枠鉤部５１，５２の元部を、ガイド孔５３，５４とガイドピン４３，４４を介して摺動可能に保持されているため、施錠時にガラス枠鉤部５１，５２にかかる荷重を良好に保持しながら、円滑にガラス枠施錠杆５を摺動させ、施錠・解錠を行うことができる。
【００２１】
同様に、施錠杆６の上下の鉤部６１，６２の元部には、図５に示すように、ガイド孔６５，６６が形成され、ガイドピン４１，４２がそれらのガイド孔６５，６６に挿通されて基枠体１の支持板３に固定され、施錠杆６はガイドピン４１，４２、ガイド孔６５，６６を介してその上下方向の摺動をガイドされる。この鉤部６１、６２及びそれを動かす施錠杆６は、ゲーム機の前面枠用の施錠機構を構成する。また、施錠杆５においても、その鉤部６１，６２の元部を、ガイド孔６５，６６とガイドピン４１，４２を介して摺動可能に保持されているため、施錠時に鉤部６１，６２にかかる荷重を良好に保持しながら、円滑に施錠杆６を摺動させ、施錠・解錠を行うことができる。
【００２２】
図６に示すように、取付板２の下部に開口部２５が形成され、その開口部２５の上部と下部に張り出すように取付部２６が形成され、そこにシリンダ錠７のフランジ７１が、その開口部２５から前面側に錠本体を突き出した状態で固定ねじなどにより固定され、その錠軸を基枠体１の内側に挿入する形態で取り付けられる。シリンダ錠７の錠軸には、図４に示すように、第一係合部８ａと第二係合部８ｂを持つカム板８が固定される。図４反時計方向にカム板８を回動させた場合、カム板の第一係合部８ａは施錠杆６の係合部６７（図７）に係合して、施錠杆６を上方に摺動させ、鉤部６１、６２を上側に移動させて解錠する。
【００２３】
一方、図４時計方向にカム板８を回動させた場合、カム板の第二係合部８ｂはガラス枠用施錠杆５の係合部５５に係合し、ガラス枠用施錠杆５を下方に摺動させ、ガラス枠鉤部５１、５２を下側に移動させてガラス枠を解錠する。施錠杆６とガラス枠用施錠杆５との間にコイルばね９が掛けられ、施錠杆６とガラス枠用施錠杆５はこのコイルばね９によって相互に施錠方向に付勢される。
【００２４】
図９〜図１０に示すように、施錠杆６の鉤部６１、６２は、本体枠側に固定された受け金具１０の係止部１１に係止される構造であるが、本体枠側に固定される受け金具１０の係止部１１には凹部１２が形成され、この凹部に保護板３１，３２が進入して、保護板３１と係止部１１との干渉を避けるようにしている。また、保護板３１，３２と鉤部６１，６２との間隔を離す（開ける）ようにしているため、施錠時における保護板３１と係止部１１との干渉を避けることができる。
【００２５】
このように構成された施錠装置は、図１２〜図１４に示すように、パチンコ機における前面枠３０の内側に、シリンダ錠７の先端を前面に露出させ、鉤部６１、６２を本体枠２０側に向けた状態で、取付板２を用いて縦に取付けられる。一方、本体枠２０の内側における上記鉤部６１、６２に対応した上下位置に、受け金具１０、１０が固定される。
【００２６】
一方、前面枠３０の前面にガラス枠４０が開閉可能に取りつけられ、そのガラス枠４０にガラス枠用施錠杆５の上部と下部のガラス枠鉤部５１，５２が係合するガラス枠係止部１３，１３が設けられ、ガラス枠４０の閉鎖時、ガラス枠鉤部５１，５２はそのガラス枠係止部１３，１３に係止され、施錠状態となる。
【００２７】
この施錠装置は、パチンコ機の前面枠３０を本体枠２０に対し閉じると、図１２に示すように、施錠装置の鉤部６１、６２が本体枠２０側の受け金具１０の係止部１１に当って上方に摺動し、係止凸部６３，６４が係止部１１を乗り越えて、コイルばね９の付勢力により下方に戻って係止され、施錠状態となる。このとき、図１０、図１１に示すように、保護板３１，３２は受け金具１０の凹部１２に進入し、鉤部６１，６２の係止凸部６３，６４が受け金具１０の係止部１１，１１に確実に係止され、保護板３１，３２が受け金具１０と干渉することはない。
【００２８】
そして、前面枠３０の施錠状態においては、その側面に覆うように、保護板３１，３２が配設されているから、不正解錠を目的として、本体枠２０と前面枠３０の隙間から針金などを挿入し、それを鉤部６１，６２に引っ掛けて解錠方向に摺動させようとしても、保護板３１，３２に針金が引っかかって鉤部６１、６２、施錠杆６を摺動させることはできず、不正解錠を防止することができる。
【００２９】
前面枠３０をキーにより解錠する場合は、所定のキーでシリンダ錠７の錠軸を回し、カム板８を図４反時計方向に回転させると、カム板８の第一係合部８ａが、施錠杆６の係合部６７と係合して、図１３のように、これを上方へ摺動させ、上下の鉤部６１、６２を上に摺動させる。この鉤部６１、６２の移動によって、本体枠２０側の受け金具１０、１０との係合が外れ、前面枠３０は解錠され、開放可能な状態となる。
【００３０】
ガラス枠４０を解錠する場合は、シリンダ錠７のキーを逆方向に回して、カム板８を図４時計方向へ回動させると、カム板８の第二係合部８ｂがガラス枠用施錠杆５の係合部５５と係合してこれを下方へ摺動させ、ガラス枠鉤部５１，５２を下方に摺動させ、ガラス枠４０のガラス枠係止部１３，１３との係合を解除してガラス枠の解錠を行う。
【００３１】
このように、前面枠３０を本体枠２０に対し良好に施錠・解錠を行うことができると共に、前面枠３０に対しガラス枠４０を良好に施錠・解錠することができ、解錠時には、針金などによる不正解錠を防止することができる。
【００３２】
図１５〜図１９は受け金具についての他の実施形態を示し、この例では、本体枠側に取り付けられる受け金具７０に、鉤部をガイドするためのガイド部７３が設けられる。施錠装置本体については、上記実施形態と同様であるため、図面には上記と同じ符号を付してその説明を省略する。
【００３３】
図１５に示すように、この受け金具７０は、板状金属を折り曲げて形成され、取付孔を設けた本体部から係止部７１が直角に曲げて突設され、その係止部７１の本体部寄りには、保護板３１，３２を通すための凹部７２が形成されている。また、係止部７１の先端には、ストッパ７４が先端を曲げて形成されている。このストッパ７４は、施錠時に係止部７１に鉤部６１，６２が係止されたとき、鉤部６１，６２が外側へ外れることを防止する。
【００３４】
さらに、受け金具７０の上部には、本体部の上部を前方に直角に曲げるようにして、ガイド部７３が形成されている。このガイド部７３は、先端縁部に傾斜部を設けて形成され、施錠時、保護板３１，３２が凹部７２に進入する際、その傾斜部に保護板を接触させるようにして、鉤部６１，６２を係止部７１側に押すようにしている。なお、鉤部６１，６２の係止凸部６３，６４の上方の傾斜部には、折り曲げ部６５が形成され、鉤部６１，６２が施錠時に受け金具の係止部７１に接触した際、鉤部６１，６２が良好に摺動するようにしている。
【００３５】
このように構成された受け金具７０は、上記と同様に、パチンコ機の本体枠２０の内側における鉤部６１、６２に対応した上部と下部位置に固定される。また、施錠装置本体は、上記と同様に、パチンコ機の前面枠３０の内側に鉤部６１，６２を本体枠側に向けて縦に取り付けられる。
【００３６】
前面枠３０を本体枠２０に対し閉じると、施錠装置の鉤部６１、６２が本体枠２０側の受け金具７０の係止部７１に当って上方に摺動し、係止凸部６３，６４が係止部７１を乗り越えて、コイルばね９の付勢力により下方に戻って係止され、施錠状態となる。このとき、図１７、１８に示すように、保護板３１，３２は受け金具７０の凹部７２に進入すると共に、ガイド部７３の傾斜部に接触しながら進入し、これにより、鉤部６１，６２を受け金具７０の係止部７１側に押すように作用する。これにより、鉤部６１，６２の係止凸部６３，６４は受け金具７０の係止部７１に確実に係止される。また、受け金具７０の係止部７１の側部にはストッパ７４が設けてあるため、鉤部６１，６２の係止凸部６３，６４はストッパ７４によって規制されて外側に外れることはなく、施錠は良好に且つ確実になされる。
【００３７】
なお、上記実施例では、パチンコ機に適用した場合を説明したが、スロットマシンに適用することもでき、スロットマシンの場合、前面枠に厚さの厚い装飾パネルが取り付けられるため、それに合わせて長さの長いシリンダ錠を使用すればよい。また、スロットマシンの場合、ガラス枠はなくガラス枠施錠杆５は不要となるが、その場合、ガラス枠施錠杆５に代えてリセットスイッチ等の作動杆を装着すればよい。また、上記実施形態では、保護板３１，３２を内側に偏倚させたが、保護板を支持板からそのまま立ち上げ、施錠杆６の鉤部６１，６２を外側に（保護板と反対側に）曲げて偏倚させ、保護板と施錠杆の鉤部との間隔を離すようにして、施錠時の受け金具１０の係止部１１と保護板の干渉を回避することもできる。
【００３８】
以上説明したように、本発明のゲーム機の施錠装置によれば、前面枠の施錠状態において、施錠杆の鉤部の係止凸部が、その側面を保護板により覆われているため、本体枠と前面枠の隙間等から針金等を差し込み、その先端を鉤部に引っ掛けようとしても、鉤部と共に保護板にも針金が引っ掛かることになり、針金などで施錠杆を移動させようとしても、施錠杆を動かすことはできず、不正解錠を防止することができる。
【図面の簡単な説明】
【００３９】
【図１】本発明の一実施形態を示す施錠装置の正面図である。
【図２】その左側面図である。
【図３】その右側面図である。
【図４】その背面図である。
【図５】施錠装置の分解側面図である。
【図６】基枠体１の側面図（ａ）と背面図（ｂ）である。
【図７】施錠杆６の側面図（ａ）と背面図（ｂ）である。
【図８】ガラス枠施錠杆５の側面図（ａ）と背面図（ｂ）である。
【図９】受け金具１０の側面図である。
【図１０】鉤部６１が受け金具１０に係止された状態の背面図である。
【図１１】鉤部６１が受け金具１０に係止された状態の斜視図である。
【図１２】施錠装置の使用態様を示す施錠時の右側面図である。
【図１３】前面枠の解錠時の左側面図である。
【図１４】ガラス枠の解錠時の左側面図である。
【図１５】他の実施形態を示す受け金具７０の斜視図である。
【図１６】同受け金具７０と鉤部６２の開放時の斜視図である。
【図１７】同受け金具７０と鉤部６２の施錠時の動作説明用の側面図である。
【図１８】同受け金具７０と鉤部６２の施錠時の動作説明用の平面方向の断面図である。
【図１９】同受け金具７０と鉤部６２の施錠時の斜視図である。
【符号の説明】
【００４０】
１−基枠体
２−取付板
３−支持板
５−ガラス枠施錠杆
６−施錠杆
７−シリンダ錠
８−カム板
２１，２２−ガイド部
３１，３２−保護板
６１，６２−鉤部
６３，６４−係止凸部                                                                       
【図１】
2005199005.tif 000003
【図２】
2005199005.tif 000004
【図３】
2005199005.tif 000005
【図４】
2005199005.tif 000006
【図５】
2005199005.tif 000007
【図６】
2005199005.tif 000008
【図７】
2005199005.tif 000009
【図８】
2005199005.tif 000010
【図９】
2005199005.tif 000011
【図１０】
2005199005.tif 000012
【図１１】
2005199005.tif 000013
【図１２】
2005199005.tif 000014
【図１３】
2005199005.tif 000015
【図１４】
2005199005.tif 000016
【図１５】
2005199005.tif 000017
【図１６】
2005199005.tif 000018
【図１７】
2005199005.tif 000019
【図１８】
2005199005.tif 000020
【図１９】
2005199005.tif 000021